Podtech/llm-jp-corpus-v4-ja_patent huggingface dataset:
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
各熱遷移マイクロポンプ（１）が、小断面の入口チャネル（３）に接続された入口（２ａ）を有し、かつ出口チャネル（３ａ）に接続された出口（２ｂ）を有する少なくとも１つの空洞（２）を備え、空洞（２）に隣接する入口チャネル（３）のセグメントを加熱するためのヒータ素子（４）を含み、複数のそのようなマイクロポンプ（１、１ａ、１ｂ、１ｃ）が直列に接続される、熱遷移マイクロポンプを使用するポンピング装置であって、
マイクロポンプ（１、１ａ、１ｂ、１ｃ）が、複数のマイクロポンプ（１、６、・・・７、８、９）でそれぞれが作成される複数の行（Ａ、Ｂ、Ｃ、・・・、Ｄ）において基板（５）の上に分布し、それにより、複数の列（ａ、ｂ、・・・、ｃ、ｄ）を構築することと、
マイクロポンプのそれぞれのヒータ素子（４）が、行制御導体（１０Ａ、１０Ｂ、１０Ｃ、・・・、１０Ｄ）および列制御導体（１１ａ、１１ｂ、・・・、１１ｃ、および１１ｄ）を適切に制御することによってそれぞれ制御されることとを特徴とするポンピング装置。
【請求項２】
行制御導体（１０Ａ、１０Ｂ、１０Ｃ、・・・、１０Ｄ）が、基板（５）の第１縁に沿った電気接続用にアクセス可能であり、列制御導体（１１ａ、１１ｂ、・・・、１１ｃ、および１１ｄ）が、基板（５）の第２縁に沿った電気接続用にアクセス可能であることを特徴とする請求項１に記載のポンピング装置。
【請求項３】
制御手段が、マイクロポンプのアレイにおいて各個々のマイクロポンプを個別に制御するように、行制御導体（１０Ａ、１０Ｂ、１０Ｃ、・・・、１０Ｄ）および列制御導体（１１ａ、１１ｂ、・・・、１１ｃ、および１１ｄ）を選択的に制御することを特徴とする請求項１に記載のポンピング装置。
【請求項４】
各ヒータ素子（４）が、電気抵抗タイプであり、トランジスタ（１４）と直列である電源（１２、１３）の端子に接続され、トランジスタ（１４）自体は、対応する行制御導体（１０Ａ）および対応する列制御導体（１１ａ）にそれぞれ接続された入力を有するＡＮＤゲート（１６）によって制御されることを特徴とする請求項１に記載のポンピング装置。
【請求項５】
各ヒータ素子（４）が、双安定によって制御され、双安定自体は、対応する行制御導体（１０Ａ）および対応する列制御導体（１１ａ）から来る制御パルス信号を同時に受信するとすぐに状態を変化させるように構成されることを特徴とする請求項１に記載のポンピング装置。
【請求項６】
マイクロポンプの１つまたは複数の行が、直列サブアセンブリを構成するように直列に接続され、複数の直列サブアセンブリが、並列に接続されることを特徴とする請求項１に記載のポンピング装置。
【請求項７】
マイクロポンプの少なくともいくつかが、加熱されるチャネルセグメントの長さに沿ってほぼ規則的な温度分布を達成するために、加熱されるチャネルセグメントの長さに沿って一様に加熱を分布させるように構成されるそれぞれのヒータ素子（４）を含むことを特徴とする請求項１に記載のポンピング装置。
【請求項８】
ヒータ素子（４）が、電気抵抗タイプであり、加熱されるチャネルセグメントに沿って互いに縦方向に離れて位置する２つの連続ゾーンに配置された少なくとも２つの導電性ゾーン（４１、４２、４３）を備えることを特徴とする請求項７に記載のポンピング装置。
【請求項９】
電気抵抗タイプのヒータ素子（４）が、中心穴（４ｅ）を含む抵抗領域を備えることを特徴とする請求項７に記載のポンピング装置。
【請求項１０】
ヒータ素子（４）が、平坦２重らせんに巻かれたヒータトラックの形態の電気抵抗タイプであることを特徴とする請求項７に記載のポンピング装置。
【請求項１１】
ヒータ素子が、ペルティエ効果素子の加熱ゾーンであることを特徴とする請求項７に記載のポンピング装置。
【請求項１２】
マイクロポンプの少なくともいくつかが、入口（２ａ）から出口（２ｂ）に向かって先細りになる断面の空洞（２）を有し、同様の形状の空洞（２、２ｃ）が、空洞が断面において共通して占有する空間の量を低減するように、反対方向に交互配置されることを特徴とする請求項１に記載のポンピング装置。
【請求項１３】
長さに沿って考慮しているすべての点における空洞（２）の断面が、気体分子が粘性媒体条件下で運動することを保証するように、十分大きいままであることを特徴とする請求項１２に記載のポンピング装置。
【請求項１４】
空洞の厚さが一定であり、幅が、入口（２ａ）から出口（２ｂ）に向かって減少し、空洞（２、２ｃ）が、空洞が横方向において占有する全空間を低減するように、反対方向に並んで交互配置されることを特徴とする請求項１２に記載のポンピング装置。
【請求項１５】
空洞（２）の厚さが、入口（２ａ）から出口（２ｂ）に向かって減少することを特徴とする請求項１２に記載のポンピング装置。
【請求項１６】
基板（５）が、２層の空洞（２、２ｃ；２１、２１ｃ）を作成するために、両面について処理されることを特徴とする請求項１２に記載のポンピング装置。
【請求項１７】
空洞（２、２１）が、基板（５）の厚さにおいて反対方向に交互配置されることを特徴とする請求項１５及び１６に記載のポンピング装置。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
衛生洗浄装置の動作を指示する動作指示手段と、衛生洗浄装置が有する機能の設定を、予め定められた標準状態から設定変更する機能設定変更手段とを有するリモコンにおいて、
前記リモコンに使用者の使用終了を判別する使用終了判断手段を設け、前記使用終了判断手段が衛生洗浄装置の使用終了を判別した時に、使用者が使用中に切り替えた設定を標準状態に復帰させることを特徴とする衛生洗浄装置。
【請求項２】
前記判断手段が使用者の衛生洗浄装置の使用終了と判断する時を、リモコンの便器内の洗浄を開始する信号を出力した時としたことを特徴とする請求項１記載の衛生洗浄装置。
【請求項３】
前記判断手段が使用者の衛生洗浄装置の使用終了と判断する時を、便器内の洗浄を開始する信号を出力し、所定時間経過後としたことを特徴とする請求項１記載の衛生洗浄装置。
【請求項４】
前記判断手段が使用者の衛生洗浄装置の使用終了と判断する時を、衛生洗浄装置の設定を切替えてから所定時間経過後であることを特徴とする請求項１記載の衛生洗浄装置。
【請求項５】
前記リモコンが便蓋便座の開閉を指示する開閉指示手段を備え、便蓋便座の自動開閉機構と、角度検知手段を有する衛生洗浄装置において、前記判断手段が使用者の衛生洗浄装置の使用終了と判断する時を、リモコンにより便蓋が閉められた時であることを特徴とする請求項１記載の衛生洗浄装置。
【手続補正２】
【補正対象書類名】明細書
【補正対象項目名】００１１
【補正方法】変更
【補正の内容】
【００１１】
第３の発明では、前記判断手段が使用者の衛生洗浄装置の使用終了と判断する時を、便器内の洗浄を開始する信号を出力し、所定時間経過後としたことを特徴とした請求項１記載の衛生洗浄装置を提供する。
【手続補正３】
【補正対象書類名】明細書
【補正対象項目名】００２７
【補正方法】変更
【補正の内容】
【００２７】
図４は、各種設定を標準状態に戻す手段を示す第三のタイミングチャートである。衛生洗浄装置の一般的な使用方法として、使用者がトイレ入室後、便座に座り、用便し局部の洗浄を行う。同図では、電磁弁が開いている時に本体制御部１の洗浄手段８より吐水していることを示している。途中、リモコン上の操作手段１４により、例えば図に示すような洗浄水の水勢や洗浄位置、温水温度、便座温度などを好みに応じて切替えることが出来る。ここで、使用者がリモコン上の操作手段１４により各設定を切替えた時、リモコン１２の制御回路１３はタイマ−にて所定時間の計測を開始する。また、計測を開始したタイマーは、使用者が各設定を変更するたびに時間を更新することが出来る。その後、使用者はリモコン上の操作手段１４により局部への洗浄を終了し、便座から立ち上がり、リモコン上の操作手段１４により便器内の洗浄を行い退室する。ここで、タイマーにより計測していた所定時間が経過した時点で、使用終了判断手段２０は使用者の使用終了と判断し、切替えられた各設定を標準状態に戻すと共に表示手段１６の設定も標準状態に戻すことが出来る。
【手続補正４】
【補正対象書類名】明細書
【補正対象項目名】００２９
【補正方法】変更
【補正の内容】
【００２９】
図５は、各種設定と標準状態に戻す手段を示す第四のタイミングチャートである。
衛生洗浄装置の一般的な使用方法として、使用者がトイレ入室後、便座に座り、用便し局部の洗浄を行う。同図では、電磁弁が開いている時に本体制御部１の洗浄手段８より吐水していることを示している。途中、リモコン上の操作手段１４により、例えば図に示すような洗浄水の水勢や洗浄位置、温水温度、便座温度などを好みに応じて切替えることが出来る。その後、使用者が使用終了し、退室する際にリモコン上の操作手段１４により便蓋を閉める。ここで、リモコン上の操作手段１４により便蓋を閉じる時にリモコン１２の使用終了判断手段２０は使用者の使用終了と判断し、切替えられた各設定を標準状態に戻すと共に表示手段１６の設定も標準状態に戻すことが出来る。
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
基板を保持する基板ステージと、
前記基板ステージで保持した基板の被めっき面の周縁部に当接して該周縁部を水密的にシールするシール材と前記基板と接触して通電させるカソード電極を備えたカソード部と、
前記基板の被めっき面に対向するように配置されたアノードと、
前記アノードと前記基板の被めっき面との間に配置され、基板の被めっき面より小形な平面形状を有する保水性材料からなる多孔質体と、
前記アノードと前記多孔質体を上下に備えた電極ヘッドと、
前記電極ヘッドと前記基板を相対運動させる駆動機構を有することを特徴とするめっき装置。
【請求項２】
前記多孔質体を前記基板ステージで保持した基板の被めっき面へ任意の圧力で押圧する押圧機構を更に有することを特徴とする請求項１記載のめっき装置。
【請求項３】
前記アノードは、前記多孔質体の平面形状に対応した平面形状を有することを特徴とする請求項１または２に記載のめっき装置。
【請求項４】
前記電極ヘッドは、前記多孔質体の平面形状に対応した形状を有することを特徴とする請求項１乃至３のいずれかに記載のめっき装置。
【請求項５】
前記電極ヘッドは、複数個備えられていることを特徴とする請求項１乃至４のいずれかに記載のめっき装置。
【請求項６】
基板の被めっき面とアノードとの間に該被めっき面の平面形状より小さな平面形状を有する保水性材料からなる多孔質体を介在させ、
前記基板と前記アノードとの間にめっき液を満たし、
前記多孔質体と前記基板の被めっき面とを互いに接触または近接させ、
前記基板と前記アノードとの間に通電してめっきを行うことを特徴とするめっき方法。
【手続補正２】
【補正対象書類名】明細書
【補正対象項目名】００１２
【補正方法】変更
【補正の内容】
【００１２】
前記多孔質体は、平面円形の形状であることが好ましい。
前記多孔質体は、平面扇状の形状であってもよい。
前記多孔質体は、平面矩形状の形状であってもよい。
【手続補正３】
【補正対象書類名】明細書
【補正対象項目名】００１３
【補正方法】変更
【補正の内容】
【００１３】
前記多孔質体は、基板に区画形成された一つのダイの平面形状と同じ平面形状を有することが好ましい。これにより、基板に区画形成されたダイ毎に個別にめっきを行って、ダイ毎に面内均一性が良好で膜質の良好なめっき膜を得ることができる。
前記多孔質体は、棒状の形状であってもよい。
【手続補正４】
【補正対象書類名】明細書
【補正対象項目名】００１４
【補正方法】変更
【補正の内容】
【００１４】
請求項３に記載の発明は、前記アノードは、前記多孔質体の平面形状に対応した平面形状を有することを特徴とする請求項１または２に記載のめっき装置である。これにより、互いに対応する平面形状を有するアノードと多孔質体とを互いに食み出すことなく上下に重ね合わせてめっきを行うことで、多孔質体が対峙する基板上の所定の部位のみにめっきを行うことができる。
請求項４に記載の発明は、前記電極ヘッドは、前記多孔質体の平面形状に対応した形状を有することを特徴とする請求項１乃至３のいずれかに記載のめっき装置である。これにより、アノードと多孔質体とを上下に備えた電極ヘッドの小型コンパクト化を図ることができる。
【手続補正５】
【補正対象書類名】明細書
【補正対象項目名】００１５
【補正方法】変更
【補正の内容】
【００１５】
請求項５に記載の発明は、前記電極ヘッドは、複数個備えられていることを特徴とする請求項１乃至４のいずれかに記載のめっき装置である。これにより、基板ステージで基板を保持した状態で、複数の電極ヘッドによる基板の各部位毎の個別のめっきを同時に行うことができる。
前記相対運動は、振動であることが好ましい。多孔質体と基板ステージで保持した基板の表面（被めっき面）が接触と非接触とを繰り返すように振動させることで、多孔質体と基板ステージで保持した基板との相対運動を行わせることができる。
【手続補正６】
【補正対象書類名】明細書
【補正対象項目名】００１６
【補正方法】変更
【補正の内容】
【００１６】
前記相対運動は、回転運動であってもよい。多孔質体と基板ステージで保持した基板の少なくとも一方を回転させることで、回転運動による相対運動を行わせることができる。
前記相対運動は、スクロール回転運動であってもよい。多孔質体と基板ステージで保持した基板の少なくとも一方をスクロール回転運動、すなわち自転を伴わない公転運動（並進回転運動）させることで、スクロール回転運動による相対運動を行わせることができる。
【手続補正７】
【補正対象書類名】明細書
【補正対象項目名】００１７
【補正方法】変更
【補正の内容】
【００１７】
前記相対運動は、自公転運動であってもよい。この自公転運動による相対運動は、多孔質体の中心と基板ステージで保持した基板の中心とを互いに変位させてそれぞれの中心周りに自転させることで行わせることができる。
前記相対運動は、直線運動であってもよい。この直線運動からなる相対運動は、例えば多孔質体と基板ステージで保持した基板の一方を固定して、他方を直線運動させてもよく、双方を互いに逆方向に直線運動させて行ってもよい。
【手続補正８】
【補正対象書類名】明細書
【補正対象項目名】００１８
【補正方法】変更
【補正の内容】
【００１８】
請求項６に記載の発明は、基板の被めっき面とアノードとの間に該被めっき面の平面形状より小さな平面形状を有する保水性材料からなる多孔質体を介在させ、前記基板と前記アノードとの間にめっき液を満たし、前記多孔質体と前記基板の被めっき面とを互いに接触または近接させ、前記基板と前記アノードとの間に通電してめっきを行うことを特徴とするめっき方法である。
前記アノードは、前記多孔質体の平面形状に対応した平面形状を有することが好ましい。
前記多孔質体の平面形状に対応した形状で、該多孔質体と前記アノードとを上下に備えた電極ヘッドを有することが好ましい。
【手続補正９】
【補正対象書類名】明細書
【補正対象項目名】００１９
【補正方法】変更
【補正の内容】
【００１９】
前記電極ヘッドを複数個備え、この複数個の電極ヘッドで基板の被めっき面をめっきすることが好ましい。
前記多孔質体は、基板に区画形成された一つのダイの平面形状と同じ平面形状を有し、基板に区画形成された一つのダイ毎にめっきを行うことが好ましい。
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
蒸着材料を充填する有底筒状の胴部と、
貫通孔の開いた蓋と、を有し、
前記蓋は前記蓋の構成材料より熱伝導性の高い物質により被覆されていることを特徴とする蒸着用るつぼ。
【請求項２】
蒸着材料を充填する有底筒状の胴部と、
貫通孔の開いた蓋及び内蓋と、を有し、
前記内蓋は前記内蓋の構成材料より熱伝導性の高い物質により被覆されていることを特徴とする蒸着用るつぼ。
【請求項３】
蒸着材料を充填する有底筒状の胴部と、
貫通孔の開いた蓋及び内蓋と、を有し、
前記蓋及び前記内蓋は各々の構成材料より熱伝導性の高い物質により被覆されていることを特徴とする蒸着用るつぼ。
【請求項４】
蒸着材料を充填する有底筒状の胴部と、
貫通孔の開いた蓋と、を有し、
前記蓋は前記有底筒状の胴部より熱伝導性の高い物質により形成されていることを特徴とする蒸着用るつぼ。
【請求項５】
蒸着材料を充填する有底筒状の胴部と、
貫通孔の開いた蓋及び内蓋と、を有し、
前記内蓋は前記有底筒状の胴部より熱伝導性の高い物質により形成されていることを特徴とする蒸着用るつぼ。
【請求項６】
蒸着材料を充填する有底筒状の胴部と、
貫通孔の開いた蓋及び内蓋と、を有し、
前記蓋及び内蓋は有底筒状の胴部より熱伝導性の高い物質により形成されていることを特徴とする蒸着用るつぼ。
【請求項７】
蒸着材料を充填する有底筒状の胴部と、
少なくとも前記有底筒状の胴部内壁面に接して、前記蒸着材料より熱伝導性の高い物質により形成された部品と、を有することを特徴とする蒸着用るつぼ。
【請求項８】
蒸着材料を充填する有底筒状の胴部と、
少なくとも前記有底筒状の胴部内底面に接して、前記蒸着材料より熱伝導性の高い物質により形成された部品と、を有することを特徴とする蒸着用るつぼ。
【請求項９】
請求項１乃至請求項８のいずれか一項において、
前記熱伝導性の高い物質とは金、銀、白金、胴、ベリリウム、炭化ケイ素及び窒化炭素ダイヤモンド、窒化ホウ素、炭化ケイ素、酸化ベリウム、窒化アルミニウムのうち一種もしくは複数種であることを特徴とする蒸着用るつぼ。
【請求項１０】
請求項７または請求項８において、前記部品の形態はワイヤー状、球状もしくは板状のうち１形態もしくは複数形態であることを特徴とする蒸着用るつぼ。
【請求項１１】
請求項７または請求項８において、前記部品の形態はワイヤー状、球状もしくは板状のうち１形態もしくは複数形態が組み合わされた形態であることを特徴とする蒸着用るつぼ。
【請求項１２】
蒸着材料を充填する有底筒状の胴部と、貫通孔の開いた蓋と、を有し、前記蓋が前記蓋の構成材料より熱伝導性の高い物質により被覆されているるつぼと、
前記るつぼを加熱する加熱部と、を有し、
前記るつぼは前記加熱部より脱着可能であることを特徴とする蒸着装置。
【請求項１３】
蒸着材料を充填する有底筒状の胴部と、貫通孔の開いた蓋及び内蓋と、を有し、前記内蓋が前記内蓋の構成材料より熱伝導性の高い物質により被覆されているるつぼと、
前記るつぼを加熱する加熱部と、を有し、
前記るつぼは前記加熱部より脱着可能であることを特徴とする蒸着装置。
【請求項１４】
蒸着材料を充填する有底筒状の胴部と、貫通孔の開いた蓋及び内蓋と、を有し、前記蓋及び内蓋が各々の構成材料より熱伝導性の高い物質により被覆されているるつぼと、
前記るつぼを加熱する加熱部と、を有し、
前記るつぼは前記加熱部より脱着可能であることを特徴とする蒸着装置。
【請求項１５】
蒸着材料を充填する有底筒状の胴部と、貫通孔の開いた蓋と、を有し、前記蓋が前記有底筒状の胴部より熱伝導性の高い物質により形成されているるつぼと、
前記るつぼを加熱する加熱部と、を有し、
前記るつぼは前記加熱部より脱着可能であることを特徴とする蒸着装置。
【請求項１６】
蒸着材料を充填する有底筒状の胴部と、貫通孔の開いた蓋及び内蓋と、を有し、前記内蓋が前記有底筒状の胴部より熱伝導性の高い物質により形成されているるつぼと、
前記るつぼを加熱する加熱部と、を有し、
前記るつぼは前記加熱部より脱着可能であることを特徴とする蒸着装置。
【請求項１７】
蒸着材料を充填する有底筒状の胴部と、貫通孔の開いた蓋及び内蓋と、を有し、前記蓋及び内蓋が前記有底筒状の胴部より熱伝導性の高い物質により形成されているるつぼと、
前記るつぼを加熱する加熱部と、を有し、
前記るつぼは前記加熱部より脱着可能であることを特徴とする蒸着装置。
【請求項１８】
蒸着材料を充填する有底筒状の胴部と、貫通孔の開いた蓋と、を有し、少なくとも前記有底筒状の胴部内壁面に接して、前記蒸着材料より熱伝導性の高い物質により形成された部品を有するるつぼと、
前記るつぼを加熱する加熱部と、を有し、
前記るつぼは前記加熱部より脱着可能であることを特徴とする蒸着装置。
【請求項１９】
蒸着材料を充填する有底筒状の胴部と、貫通孔の開いた蓋と、を有し、少なくとも前記有底筒状の胴部内底面に接して、前記蒸着材料より熱伝導性の高い物質により形成された部品を有するるつぼと、
前記るつぼを加熱する加熱部と、を有し、
前記るつぼは前記加熱部より脱着可能であることを特徴とする蒸着装置。
【請求項２０】
請求項１２乃至請求項１９のいずれか一項において、
前記熱伝導性の高い物質とは金、銀、白金、胴、ベリリウム、炭化ケイ素及び窒化炭素ダイヤモンド、窒化ホウ素、炭化ケイ素、酸化ベリウム、窒化アルミニウムのうち一種もしくは複数種であることを特徴とする蒸着装置。
【請求項２１】
請求項１８または請求項１９において、前記部品の形態はワイヤー状、球状もしくは板状のうち１形態もしくは複数形態であることを特徴とする蒸着装置。
【請求項２２】
請求項１８または請求項１９において、前記部品の形態はワイヤー状、球状もしくは板状のうち１形態もしくは複数形態が組み合わされた形態であることを特徴とする蒸着装置。
【請求項２３】
請求項１２乃至請求項２２のいずれか一項において、蒸着しながら一軸又は２軸又は３軸方向に自在に前記るつぼの位置を制御する手段を有することを特徴とする蒸着装置。
【手続補正書】
【提出日】平成19年4月20日(2007.4.20)
【手続補正１】
【補正対象書類名】特許請求の範囲
【補正対象項目名】請求項１２
【補正方法】変更
【補正の内容】
【請求項１２】
耐候（光）安定剤が、ベンゾトリアゾール系化合物、ベンゾフェノン系化合物、芳香族ベンゾエート系化合物、シアノアクリレート系化合物、シュウ酸アニリド系化合物、ヒドロキシアリール−１，３，５−トリアジン系化合物及びヒンダードアミン系化合物から選択された少なくとも一種で構成されている請求項６記載の樹脂組成物。
【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
色材と樹脂と溶媒とを含有するインクであって、前記樹脂が親水性セグメントおよび疎水性セグメントを含有するポリビニルエーテル構造のブロック共重合体であり、前記ブロック共重合体の親水性セグメント中にアニオン性の親水性繰り返し単位構造を含有し、前記ブロック共重合体の親水性セグメントの数平均分子量が１０００〜５００００、かつＨＬＢが４〜１８であることを特徴とするインク。
【請求項２】
前記ブロック共重合体の疎水性ブロックセグメントの数平均分子量が５０００以上であることを特徴とする請求項１記載のインク。
【請求項３】
前記ブロック共重合体のＨＬＢが１４〜１８の範囲にある請求項１記載のインク。
【請求項４】
前記ブロック共重合体のインク全重量に占める割合が０．００１〜４０重量％の範囲にある請求項１記載のインク。
【請求項５】
前記色材のインク全重量に占める割合が０．１〜２０重量％の範囲にある請求項１に記載のインク。
【請求項６】
前記色材は顔料からなる請求項５記載のインク。
【請求項７】
前記顔料の大きさは５００ｎｍ以下である請求項６記載のインク。
【請求項８】
請求項１に記載のインクを媒体に付与する工程を有することを特徴とするインク付与方法。
【請求項９】
請求項１に記載のインクにエネルギーを作用させて媒体にインクを付与するためのインク付与手段と、前記インク付与手段を駆動するための駆動手段とを備えていることを特徴とするインク付与装置。
【手続補正２】
【補正対象書類名】明細書
【補正対象項目名】０００７
【補正方法】変更
【補正の内容】
【０００７】
即ち、本発明は、色材と樹脂と溶媒とを含有するインクであって、前記樹脂が親水性セグメントおよび疎水性セグメントを含有するポリビニルエーテル構造のブロック共重合体であり、前記ブロック共重合体の親水性セグメント中にアニオン性の親水性繰り返し単位構造を含有し、前記ブロック共重合体の親水性セグメントの数平均分子量が１０００〜５００００、かつＨＬＢが４〜１８であることを特徴とするインクである。
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
組成、密度、メルトフローレートのうち少なくともいずれかが異なる複数種のエチレン系重合体を含むポリエチレン系フィルムであって、前記複数種のエチレン系重合体のうち少なくとも１つが高密度ポリエチレンとされ、少なくとも一方の面同士の動摩擦係数が０．４０以下であり、かつ動摩擦係数が０．４０以下の面が片面外部ヘイズ値５％以上の粗面であるポリエチレン系フィルムからなり、
前記粗面をシーラント面とするシーラント層を備え、さらにこれを支持する少なくとも一層の支持層を備えたことを特徴とする積層体。
【請求項２】
前記ポリエチレン系フィルムが、全エチレン系重合体のメルトフローレートの最大値ＭＦＲＭＡＸの最小値ＭＦＲＭＩＮに対する比ＭＦＲＭＡＸ／ＭＦＲＭＩＮが５〜２００であるエチレン系重合体組成物からなることを特徴とする請求項１に記載の積層体。
【請求項３】
請求項１又は請求項２に記載の積層体からなり、前記ポリエチレン系フィルムを最内層とすることを特徴とする容器。
【請求項４】
請求項１又は請求項２に記載の積層体からなり、かつ最内面が前記ポリエチレン系フィルムの前記粗面とされている容器包装用包装体内に、医療用容器が密着して収容され、さらに高圧蒸気滅菌されてなることを特徴とする容器包装体。
【請求項５】
前記医療用容器の最外層が、プロピレン系重合体からなることを特徴とする請求項４に記載の容器包装体。
【手続補正２】
【補正対象書類名】明細書
【補正対象項目名】発明の名称
【補正方法】変更
【補正の内容】
【発明の名称】積層体、容器及び容器包装体
【手続補正３】
【補正対象書類名】明細書
【補正対象項目名】０００９
【補正方法】変更
【補正の内容】
【０００９】
すなわち、本発明は、（１）組成、密度、メルトフローレートのうち少なくともいずれかが異なる複数種のエチレン系重合体を含むポリエチレン系フィルムであって、前記複数種のエチレン系重合体のうち少なくとも１つが高密度ポリエチレンとされ、少なくとも一方の面同士の動摩擦係数が０．４０以下であり、かつ動摩擦係数が０．４０以下の面が片面外部ヘイズ値５％以上の粗面であるポリエチレン系フィルムからなり、前記粗面をシーラント面とするシーラント層を備え、さらにこれを支持する少なくとも一層の支持層を備えたことを特徴とする積層体、（２）前記ポリエチレン系フィルムが、全エチレン系重合体のメルトフローレートの最大値ＭＦＲＭＡＸの最小値ＭＦＲＭＩＮに対する比ＭＦＲＭＡＸ／ＭＦＲＭＩＮが５〜２００であるエチレン系重合体組成物からなることを特徴とする（１）に記載の積層体、である。
なお、本明細書における「メルトフローレート」、「動摩擦係数」及び「片面外部ヘイズ値」の定義やその測定方法については後記する。
【手続補正４】
【補正対象書類名】明細書
【補正対象項目名】００１０
【補正方法】変更
【補正の内容】
【００１０】
また、本発明は、（３）（１）又は（２）に記載の積層体からなり、前記ポリエチレン系フィルムを最内層とすることを特徴とする容器、である。
【手続補正５】
【補正対象書類名】明細書
【補正対象項目名】００１１
【補正方法】変更
【補正の内容】
【００１１】
また、本発明は、（４）（１）又は（２）に記載の積層体からなり、かつ最内面が前記ポリエチレン系フィルムの前記粗面とされている容器包装用包装体内に、医療用容器が密着して収容され、さらに高圧蒸気滅菌されてなることを特徴とする容器包装体、（５）前記医療用容器の最外層が、プロピレン系重合体からなることを特徴とする（４）に記載の容器包装体、である。
【手続補正６】
【補正対象書類名】明細書
【補正対象項目名】００１２
【補正方法】削除
【補正の内容】
【手続補正書】
【提出日】平成19年11月9日(2007.11.9)
【手続補正１】
【補正対象書類名】明細書
【補正対象項目名】００１４
【補正方法】変更
【補正の内容】
【００１４】
「アルケニル」は、母体となるアルケンの１個だけの炭素原子から１個の水素原子を除くことによって得られる、少なくとも１つの炭素−炭素二重結合を有する不飽和の分枝状または直鎖状または環状のアルキル基を示す。この基は、二重結合に関してシス配座またはトランス配座のいずれかであり得る。典型的なアルケニル基には、エテニル；プロペニル類、例えば、プロパ−１−エン−１−イル、プロパ−１−エン−２−イル、プロパ−２−エン−１−イル（アリル）、プロパ−２−エン−２−イル、シクロプロパ−１−エン−１−イル、シクロプロパ−２−エン−１−イル；ブテニル類、例えば、ブタ−１−エン−１−イル、ブタ−１−エン−２−イル、２−メチル−プロパ−１−エン−１−イル、ブタ−２−エン−１−イル、ブタ−２−エン−２−イル、ブタ−１，３−ジエン−１−イル、ブタ−１，３−ジエン−２−イル、シクロブタ−１−エン−１−イル、シクロブタ−１−エン−３−イル、シクロブタ−１，３−ジエン−１−イル；その他が含まれるが、これらに限定されない。特定の実施態様において、アルケニル基は２個〜２０個の炭素原子を有し、他の実施態様では２個〜６個の炭素原子を有する。
【手続補正２】
【補正対象書類名】明細書
【補正対象項目名】００４０
【補正方法】変更
【補正の内容】
【００４０】
式（I）または式（II）の特定の錯体において、Ｒ、Ｒ１およびＲ２は独立して、Ｈ、ハロゲン（例えば、フッ素、塩素、臭素またはヨウ素）、Ｃ1〜Ｃ20アルキル（例えば、メチル、エチル、ブチルまたはシクロヘキシル）、Ｃ2〜Ｃ20アルケニル、Ｃ2〜Ｃ20アルキニル、ハロゲン置換Ｃ1〜Ｃ20アルキル（例えば、トリフルオロメチルなど）、Ｃ1〜Ｃ20アルコキシ、Ｃ1〜Ｃ20置換アミノ、Ｃ1〜Ｃ20アシル、Ｃ1〜Ｃ20エステル、Ｃ1〜Ｃ20アミド、アリール、ハロゲン置換アリール、ハロゲン置換アルケニル、ハロアルキル置換アリール、ハロアルキル置換アルケニル、アリール置換Ｃ1〜Ｃ20アルキル（例えば、フェニルメチルなど）、シアノおよびニトロ基から選ばれる。
【手続補正３】
【補正対象書類名】明細書
【補正対象項目名】００８１
【補正方法】変更
【補正の内容】
【００８１】
ｍｍｏｌ    ＝  ミリモル
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
（ａ）メッキ槽と、前記メッキ槽内に収納され、かつ錫及びビスマスを含むメッキ液と、前記メッキ液内に設けられ、かつ電源の陽極に接続された金属製ケースと、前記金属製ケース内に収納された固体錫金属及び固体ビスマス金属を有するメッキ装置を準備する工程と、
（ｂ）半導体チップと、前記半導体チップを封止する樹脂封止体と、前記樹脂封止体から露出した外部接続用端子部を有する被メッキ処理物を準備する工程と、
（ｃ）前記電源の陰極に接続し、かつ前記メッキ液内に前記被メッキ処理物を配置する工程と、
（ｄ）前記工程（ｃ）の後、前記メッキ装置を稼動させ、前記陽極と前記陰極の間に電界をかけることで、前記被メッキ処理物の外部接続用端子部に錫−ビスマス合金層を形成する工程と、
を有することを特徴とする半導体装置の製造方法。
【請求項２】
請求項１に記載の半導体装置の製造方法において、
前記メッキ液は、有機スルホン酸溶液を含むことを特徴とする半導体装置の製造方法。
【請求項３】
請求項１に記載の半導体装置の製造方法において、
前記メッキ液は、無機硫酸溶液を含むことを特徴とする半導体装置の製造方法。
【請求項４】
請求項１に記載の半導体装置の製造方法において、
前記固体錫金属、前記固体ビスマス金属の夫々は、複数の粒状固体金属であることを特徴とする半導体装置の製造方法。
【請求項５】
請求項４に記載の半導体装置の製造方法において、
前記固体錫金属の複数の粒状固体金属は球形状であり、前記固体ビスマス金属の複数の粒状固体金属は、円柱状であることを特徴とする半導体装置の製造方法。
【請求項６】
請求項１に記載の半導体装置の製造方法において、
前記陽極は、第１の電位に接続された第１の陽極と、前記第１の電位よりも電位が高い第２の電位に接続された第２の陽極とを有し、
前記固体錫金属が前記第１の陽極に接続され、前記固体ビスマス金属が前記第２の陽極に接続されることを特徴とする半導体装置の製造方法。
【請求項７】
請求項１に記載の半導体装置の製造方法において、
前記メッキ液内の錫は、前記メッキ液内に前記固体錫金属が電解析出することによって供給され、
前記メッキ液内のビスマスは、前記メッキ液内に前記固体ビスマス金属が電解析出することによって供給されていることを特徴とする半導体装置の製造方法。
【請求項８】
請求項１に記載の半導体装置の製造方法において、
前記金属製ケースは遮蔽板により区画された第１収納部と第２収納部を有し、
前記固体錫金属は前記第１収納部内に配置され、
前記固体ビスマス金属は前記第２収納部内に配置されていることを特徴とする半導体装置の製造方法。
【請求項９】
請求項１に記載の半導体装置の製造方法において、
前記金属製ケースにおける前記被メッキ処理物と対向する面は、網で構成されていることを特徴とする半導体装置の製造方法。
【請求項１０】
請求項１に記載の半導体装置の製造方法において、
前記金属製ケースは、前記被メッキ処理物を挟むように複数個、前記メッキ槽内に配置されていることを特徴とする半導体装置の製造方法。
【手続補正２】
【補正対象書類名】明細書
【補正対象項目名】発明の名称
【補正方法】変更
【補正の内容】
【発明の名称】半導体装置の製造方法
【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
止水状態と吐水状態を切り替える開閉弁が水栓本体に取付けられている水栓装置であって、
この開閉弁が、
圧力開放穴を備え止水状態と吐水状態を切り替える主弁と、
上記圧力開放穴を開閉するように配置された温度応動弁と、
上記水栓装置から吐水されるべき水の温度が高くなると、上記温度応動弁が上記圧力開放穴に当接するように上記温度応動弁を移動させる応動弁駆動手段と、
上記温度応動弁が上記圧力開放穴に当接すると内部の圧力が上昇して上記主弁が閉鎖される方向に上記主弁を押す圧力室と、
を有することを特徴とする水栓装置。
【請求項２】
上記開閉弁が、さらに、止水状態と吐水状態を切り替える際に操作される操作部と、この操作部の操作によって上記圧力開放穴を開閉するように、上記圧力室の内部に配置されたパイロット弁と、を有することを特徴とする請求項１記載の水栓装置。
【請求項３】
上記応動弁駆動手段が、上記圧力室の外部に配置され、上記温度応動弁が、上記パイロット弁の反対側から上記圧力開放穴に当接する請求項２記載の水栓装置。
【請求項４】
上記圧力開放穴は、その上記温度応動弁が当接する部分に切欠部が形成され、上記温度応動弁が上記圧力開放穴に当接したとき、上記圧力開放穴が完全に閉鎖されない請求項１乃至３の何れか１項に記載の水栓装置。
【請求項５】
上記応動弁駆動手段が形状記憶合金製のコイルバネであり、上記水栓装置から吐水されるべき水の温度が高くなると上記コイルバネが伸張又は圧縮して上記温度応動弁を駆動する請求項１乃至４の何れか１項に記載の水栓装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
この目的を達成するために、本発明は、止水状態と吐水状態を切り替える開閉弁が水栓本体に取付けられている水栓装置であって、この開閉弁が、圧力開放穴を備え止水状態と吐水状態を切り替える主弁と、圧力開放穴を開閉するように配置された温度応動弁と、水栓装置から吐水されるべき水の温度が高くなると、温度応動弁が圧力開放穴に当接するように温度応動弁を移動させる応動弁駆動手段と、温度応動弁が圧力開放穴に当接すると内部の圧力が上昇して主弁が閉鎖される方向に主弁を押す圧力室と、を有することを特徴としている。
【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】
第一のサイド（２０）と、第二のサイド（２２）と、これら第一のサイド（２０）並びに第二のサイド（２２）間の厚さとを規定しているベース（１６）と、
このベース内に複数の信号ピン（２４）と複数の接地ピン（２８）とを配置するための、前記ベース（１６）に形成された複数の開口と、
前記ベース（１６）の厚さ方向に延び、かつこのベース（１６）の厚さとほぼ等しい深さを有する複数の接地シールド（２６）とを具備する電気コネクタ・ボディにおいて、
前記複数の接地シールド（２６）は、前記ベース内で複数の列に配置され、前記複数の接地シールドのうちの互いに隣接する接地シールドは、前記ベース内で互いに反対の向きに配置され、前記接地ピン（２８）の１つは、前記複数の接地シールド（２６）の互いに隣接する接地シールドに電気的に接続され、また、前記複数の接地シールド（２６）と複数の接地ピン（２８）とは、前記複数の信号ピン（２４）を電磁的にそれぞれ遮蔽していることを特徴とする電気コネクタ・ボディ。
【請求項２】
前記複数の接地シールド（２６）は、各々が、Ｌ字形状の断面を規定していることを特徴とする請求項１の電気コネクタ・ボディ。
【請求項３】
前記複数の接地シールド（２６）の少なくとも１つは、複数の接地シールド（２６）の少なくとも１つの面から延びている剛体のこぶ（３８ａ，３８ｂ）を有し、この剛体のこぶ（３８ａ，３８ｂ）は、隆起並びにタブを含むグループから選択されていることを特徴とする請求項１もしくは２の電気コネクタ・ボディ。
【請求項４】
前記接地ピン（２８）の少なくとも１つは、前記複数の接地シールド（２６）の少なくとも１つに係合するための剛体のフィン（４０）を有していることを特徴とする請求項１ないし３のいずれか１の電気コネクタ・ボディ。
【請求項５】
複数の中間の接地シールド（５０）をさらに具備し、これら中間の接地シールド（５０）の各々は、前記複数の接地シールド（２６）の隣接する２つの接地シールド間に配置されていることを特徴とする請求項１ないし４のいずれか１の電気コネクタ・ボディ。
【請求項６】
前記接地ピン（２８）は、前記信号ピン（２４）に対して間に入り込むように配置されていることを特徴とする請求項１ないし５のいずれか１の電気コネクタ・ボディ。
【請求項７】
前記接地シールド（２６）と前記接地ピン（２８）との間にそれぞれ配置された導電エレメントをさらに具備する請求項１ないし６のいずれか１の電気コネクタ・ボディ。
【請求項８】
前記複数の接地シールド（２６）の互いに隣接する接地シールドは、鏡像関係を成して配置されていることを特徴とする請求項１ないし７のいずれか１の電気コネクタ・ボディ。
【請求項９】
前記複数の接地シールド（２６）の互いに隣接する接地シールドは、互いにほぼ同一であることを特徴とする請求項１ないし８のいずれか１の電気コネクタ・ボディ。
【手続補正２】
【補正対象書類名】明細書
【補正対象項目名】００１９
【補正方法】変更
【補正の内容】
【００１９】
図に示されている各信号ピン２４ａ、２４ｂ（及び各接地ピン２８も同様）は、横断面が略矩形であり、従って、各信号ピン２４ａ、２４ｂの側面３４ｉ、３４ｏ、３４ｐ、３４ａ（及び各接地ピン２８の側面も同様）は、図示されているように略平坦である。しかし、信号ピン２４ａ、２４ｂ（及び接地ピン２８）は、横断面が真円、長円、四辺形以外の多辺形などを含め、しかしこれに限定されない他の形態を有しても良いということは理解されるであろう。それでもやはり、上で記した各信号ピン２４ａ、２４ｂの側面３４ｉ、３４ｏ、３４ｐ、３４ａという表示は、それらの側面が横断面で平坦な面に対応していなくとも、適用可能である。
【手続補正書】
【提出日】平成19年7月16日(2007.7.16)
【手続補正１】
【補正対象書類名】特許請求の範囲
【補正対象項目名】全文
【補正方法】変更
【補正の内容】
【特許請求の範囲】
【請求項１】
正面開口部を有する庫本体と、
第１の開閉用取手と前記正面開口部側に設けられた収納部とを有し、前記正面開口部に対し開閉する第１の扉と、
前記第１の扉が前記正面開口部に対し閉じた状態においても外部に露出する第２の開閉用取手と一方側で前記正面開口部を他方側で前記収納部を覆い得るカバーとを有し、前記庫本体と前記第１の扉との間において前記正面開口部に対し前記第１の扉と共に又は前記第１の扉とは独立に開閉する第２の扉と
を具備し、
前記第１の扉と前記第２の扉は選択的に開閉することを特徴とする冷蔵庫。
【請求項２】
正面開口部を有する庫本体と、
前記庫本体に設けられた枠体用ヒンジピンを有する枠体用ヒンジ取り付板と、
前記枠体用ヒンジピンと嵌合する枠体用ヒンジピン穴を有し、この枠体用ヒンジピン穴を支点に前記正面開口部を開閉する枠体と、
前記枠体の前記庫本体側に設けた枠体パッキンと、
前記枠体を開閉するため前記枠体に設けた枠体取手と、
前記枠体の前記庫本体側に冷気を通す通気口を有し前記枠体の開口部を覆うカバーと、
前記枠体に設けられた扉用ヒンジピンを有する扉用ヒンジ取り付板と、
前記扉用ヒンジピンと嵌合する扉用ヒンジピン穴を有し、この扉用ヒンジピン穴を支点に前記枠体の開口部を開閉する扉と、
前記扉の前記枠体側に設けた扉パッキンと、
前記扉を開閉するため前記扉に設けた扉取手と、
前記扉の庫本体側に設けたポケットまたは棚と、
からなることを特徴とする冷蔵庫。
【手続補正２】
【補正対象書類名】明細書
【補正対象項目名】０００９
【補正方法】変更
【補正の内容】
【０００９】  そして、本発明は上記目的を達成するために、
正面開口部を有する庫本体と、
第１の開閉用取手と前記正面開口部側に設けられた収納部とを有し、前記正面開口部に対し開閉する第１の扉と、
前記第１の扉が前記正面開口部に対し閉じた状態においても外部に露出する第２の開閉用取手と一方側で前記正面開口部を他方側で前記収納部を覆い得るカバーとを有し、前記庫本体と前記第１の扉との間において前記正面開口部に対し前記第１の扉と共に又は前記第１の扉とは独立に開閉する第２の扉と
を具備し、
前記第１の扉と前記第２の扉は選択的に開閉することを特徴とする冷蔵庫である。
また、本発明の請求項２に係る冷蔵庫は
正面開口部を有する庫本体と、
前記庫本体に設けられた枠体用ヒンジピンを有する枠体用ヒンジ取り付板と、
前記枠体用ヒンジピンと嵌合する枠体用ヒンジピン穴を有し、この枠体用ヒンジピン穴を支点に前記正面開口部を開閉する枠体と、
前記枠体の前記庫本体側に設けた枠体パッキンと、
前記枠体を開閉するため前記枠体に設けた枠体取手と、
前記枠体の前記庫本体側に冷気を通す通気口を有し前記枠体の開口部を覆うカバーと、
前記枠体に設けられた扉用ヒンジピンを有する扉用ヒンジ取り付板と、
前記扉用ヒンジピンと嵌合する扉用ヒンジピン穴を有し、この扉用ヒンジピン穴を支点に前記枠体の開口部を開閉する扉と、
前記扉の前記枠体側に設けた扉パッキンと、
前記扉を開閉するため前記扉に設けた扉取手と、
前記扉の庫本体側に設けたポケットまたは棚と、
からなることを特徴とする。
【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
料理の材料を内部に入れてその材料を料理するための携帯可能な容器と、
前記容器に対して固定的に又は着脱可能に取り付けられた燃料電池と、
前記燃料電池が発電するときに生成する水又は水蒸気を前記容器の内部に導くための流路と、
を備えたことを特徴とする、携帯可能な調理装置。
【請求項２】
料理の材料を内部に入れてその材料を料理するための携帯可能な容器と、
前記容器に対して固定的に又は着脱可能に取り付けられた燃料電池と、
前記燃料電池が発電するときに生成する水又は水蒸気を前記容器内の下方空間内に導くための流路と、
前記容器内の前記下方空間の上方に配置された水蒸気通過板であって、前記流路からの水蒸気が又は前記流路からの水を元に形成された水蒸気が前記蒸し物用の料理材料に向かうように、前記流路からの水蒸気を又は前記流路からの水を元に形成された水蒸気を通過させるための水蒸気通過板と、
を備えたことを特徴とする、携帯可能な調理装置。
【請求項３】
請求項１又は２において、前記燃料電池が発電するときに生成する水が液体状態の水であるとき、前記液体状態の水を振動により霧化させて、この霧化された状態で前記流路内を移動させて前記容器内に供給するための振動部が備えられている、ことを特徴とする、携帯可能な調理装置。
【請求項４】
請求項１又は２において、前記燃料電池が発電するときに生成する水が液体状態の水であるとき、前記液体状態の水を加熱することにより水蒸気に変換させて、この水蒸気の状態で前記流路内を移動させて前記容器内に供給するための加熱部が備えられている、ことを特徴とする、携帯可能な調理装置。
【請求項５】
請求項２において、さらに、前記流路からの水が液体状態であるとき、その液体状態の水を水蒸気の状態に変換させて、この水蒸気の状態の水を前記水蒸気通過板に供給するための加熱部、を備えたことを特徴とする、携帯可能な調理装置。
【請求項６】
請求項１又は２において、さらに、前記容器には、前記容器を食器として使用するために前記容器をユーザーが手で持つための取っ手が備えられている、ことを特徴とする、携帯可能な調理装置。
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
冷蔵庫内に断熱区画によって形成された野菜室と、オゾンを含んだミストを発生させる噴霧装置とを備え、前記噴霧装置は電極を有し、前記ミストは前記電極に高電圧を印加することによる静電霧化方式によって生成されることで前記ミストに静電付加がなされ、オゾンを含みかつ静電付加された前記ミストが野菜室に噴霧されるものである冷蔵庫。
【請求項２】
前記ミストがＯＨラジカルを含んでいるものである請求項１に記載の冷蔵庫。
【請求項３】
前記ミストがＰｈ１〜７の酸性水である請求項１に記載の冷蔵庫。
【請求項４】
前記噴霧装置は噴霧用加圧手段と、噴霧ノズルと、前記噴霧ノズルに具備された環状の電極とを備え、前記電極に高電圧を印加することにより、前記ノズルより噴霧された粒子に静電付加がなされる請求項１から３のいずれか一項に記載の冷蔵庫。
【請求項５】
前記噴霧装置は冷蔵庫庫内の噴霧先端部の近傍に備えられた電極を有し、前記電極に高電圧を印加することにより前記噴霧先端部から噴霧された水の粒子に静電負荷がなされる請求項１から３のいずれか一項に記載の冷蔵庫。
【手続補正２】
【補正対象書類名】明細書
【補正対象項目名】０００８
【補正方法】変更
【補正の内容】
【０００８】
上記課題を解決するために、本発明の冷蔵庫は、冷蔵庫内に断熱区画によって形成された野菜室と、オゾンを含んだミストを発生させる噴霧装置とを備え、前記噴霧装置は電極を有し、前記ミストは前記電極に高電圧を印加することによる静電霧化方式によって生成されることで前記ミストに静電付加がなされ、オゾンを含みかつ静電付加された前記ミストが野菜室に噴霧されるものである。
【手続補正３】
【補正対象書類名】明細書
【補正対象項目名】００１０
【補正方法】変更
【補正の内容】
【００１０】
本発明の冷蔵庫は、静電付加された微細なミストを野菜室内に均一に噴霧し、食品の水腐れや庫内の結露を防止することで、食品の保鮮及び除菌、脱臭、有害物質の除去を行うことができる。
【手続補正４】
【補正対象書類名】明細書
【補正対象項目名】００１１
【補正方法】変更
【補正の内容】
【００１１】
請求項１に記載の発明は、冷蔵庫内に断熱区画によって形成された野菜室と、オゾンを含んだミストを発生させる噴霧装置とを備え、前記噴霧装置は電極を有し、前記ミストは前記電極に高電圧を印加することによる静電霧化方式によって生成されることで前記ミストに静電付加がなされ、オゾンを含みかつ静電付加された前記ミストが野菜室に噴霧されるものであることにより、電荷を帯びた微細なミストを生成することとなり、野菜室内に噴霧した微細ミストが壁面及び野菜、果物表面に均一に付着することができる。
また、前記ミストがオゾンを含んでいるものであることにより、オゾンの酸化分解力に加え、ラジカル化した水分子の酸化分解力によって、除菌や脱臭および有害物質除去などの性能を高めることができる。
【手続補正５】
【補正対象書類名】明細書
【補正対象項目名】００１２
【補正方法】変更
【補正の内容】
【００１２】
請求項２に記載の発明は前記ミストがＯＨラジカルを含んでいるものであることにより、オゾンの酸化分解力に加え、ラジカル化した水分子の酸化分解力によって、除菌や脱臭および有害物質除去などの性能を高めることができる。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項４に記載の発明は、前記噴霧装置は噴霧用加圧手段と、噴霧ノズルと、前記噴霧ノズルに具備された環状の電極とを備え、前記電極に高電圧を印加することにより、前記ノズルより噴霧された粒子に静電付加がなされることとなり、簡便な構造で静電霧を発生することができる。
【手続補正１０】
【補正対象書類名】明細書
【補正対象項目名】００１８
【補正方法】変更
【補正の内容】
【００１８】
請求項５に記載の発明は、前記噴霧装置は冷蔵庫庫内の噴霧先端部の近傍に備えられた電極を有し、前記電極に高電圧を印加することにより前記噴霧先端部から噴霧された水の粒子に静電負荷がなされることにより、前記噴霧先端部と周囲部との間に存在する電界によって前記噴霧先端部から複数の液糸が引き出され、さらには帯電した液滴に分散されてミストが噴霧されることとなり、ミストの微細化と食品表面への付着率を向上することができる。